(57)【要約】【課題】脱衣室側への漏水を防止でき、より一層のバリアフリー化を図ることができるようにする。【解決手段】下枠12は、上面部14から立ち上がり、ポケット部15Aが形成された立上部15を備える。縦枠13間には、上面部14を覆いその間に中空空間Aを形成するアタッチメント50が取り付けられる。アタッチメント50は、アタッチメント本体51と、アタッチメント本体51の両側に取り付けられ、水平部63と床面2に当接する当接部65とを有するキャップ60を備える。ポケット部15Aにアタッチメント本体51に密着するシール材30が、障子の表裏面側に水平部53に当接するシール片が取り付けられる。水平部63の縦枠13近傍に切欠き63A，63Bが形成され、切欠き63Bには切欠き70Aを有するピボット部70が設けられる。切欠き63A，70Aは、中空空間Aと障子20の下側で２つのシール片の間とを連通する。当接部65に中空空間Aと浴室を連通する孔65Aが形成される。【選択図】図６
2006037603.tif 000002
【特許請求の範囲】
【請求項１】
浴室と脱衣室との間の出入口に取り付けられ、上枠、下枠、および左右の縦枠を枠組みして構成された枠体と、この枠体に対して開閉自在に取り付けられた障子とを備える建具であって、
前記下枠は、前記浴室の床面と略同じ高さレベルを有する上面部と、この上面部における前記脱衣室側から上方へと立ち上がる立上部とを備え、
前記左右の縦枠の間には、前記上面部を覆い、前記上面部との間に中空空間を形成するアタッチメントが取り付けられ、
前記障子は、その前記浴室側および前記脱衣室側において前記アタッチメントに当接するシール片がそれぞれ取り付けられ、
前記アタッチメントには、前記シール片の間における前記障子との間の隙間部分と前記中空空間とを連通する第１連通部と、前記中空空間と前記浴室とを連通する第２連通部とが形成され、
前記立上部と前記アタッチメントとは、直接的または間接的に当接していることを特徴とする建具。
【請求項２】
前記立上部と前記アタッチメントとの間にシール材が介装されて、このシール材を介して前記立上部と前記アタッチメントとが当接していることを特徴とする請求項１に記載の建具。
【請求項３】
前記縦枠には、閉じた状態の障子に当接する縦シール材が取り付けられ、
前記第１連通部は、前記縦シール材と前記障子との当接部分よりも前記浴室側に形成されていることを特徴とする請求項１または請求項２に記載の建具。
【請求項４】
前記第２連通部は、前記アタッチメントの略浴室側端における前記左右の縦枠近傍にそれぞれ形成されていることを特徴とする請求項１〜請求項３のいずれかに記載の建具。
【請求項５】
前記上面部は、前記浴室へ向かって低くなる傾斜面を有することを特徴とする請求項１〜請求項４のいずれかに記載の建具。
【請求項６】
前記上面部には、当該上面部の表面に溜まった水の表面張力を破壊する溝部が形成されていることを特徴とする請求項１〜請求項５のいずれかに記載の建具。
【請求項７】
前記アタッチメントは、前記下枠に対して着脱自在に取り付けられていることを特徴とする請求項１〜請求項６のいずれかに記載の建具。
【発明の詳細な説明】
【技術分野】
【０００１】
本発明は、建具に関し、特に、浴室から脱衣室側への漏水防止と、より一層のバリアフリー化とを図ることができる建具に関する。
【背景技術】
【０００２】
近年、高齢者や障害者等に対応すべく、浴室と脱衣室との間の出入口に取り付けられる建具には、浴室と脱衣室との段差を２０ｍｍ以下に抑えたバリアフリータイプのものが多用されている。このようなバリアフリータイプの建具としては、例えば、特許文献１に示すものがある。
【０００３】
図７は、特許文献１に示す従来のバリアフリータイプの建具を示す縦断面図である。図７に示すように、従来の建具２００は、浴室と脱衣室との間の出入口に取り付けられる枠体２１０と、枠体２１０に対して開閉自在に取り付けられる障子２２０とを備えている。枠体２１０を構成する下枠２１１には、当該下枠２１１の長手方向に沿って排水溝２１１Ａが形成されている。排水溝２１１Ａは、下枠２１１の長手方向の端部に形成された孔２１１Ｂ，２１１Ｃを介して浴室とつながっている。
【０００４】
また、下枠２１１の排水溝２１１Ａよりも脱衣室側には、シール材２３０が取り付けられている。シール材２３０は、上方へと突出し、障子２２０の脱衣室側面に取り付けられた後述するシール片に当接している。また、下枠２１１の排水溝２１１Ａよりも浴室側には、アタッチメント２４０が取り付けられている。このアタッチメント２４０には浴室側に向かって低くなるような傾斜面２４０Ａが形成されており、これにより、脱衣室の床面と浴室の床面がなだらかとなっている。また、障子２２０の下框２２１における浴室側面には、アタッチメント２４０の上面に当接するシール片２５０（２５０Ａ）が取り付けられている。また、障子２２０の下框２２１における脱衣室側面にも、前記同様のシール片２５０（２５０Ｂ）が取り付けられている。
【０００５】
このような建具２００によれば、浴室から脱衣室側に向かって水が流れてきたとしても、この流れてきた水が、浴室側のシール片２５０Ａによって堰き止められ、浴室へ戻される。また、シール片２５０Ａを越えて脱衣室側へ流れてきた水は、矢印Ｐに示すように、脱衣室側のシール片２５０Ｂとシール材２３０とにより堰き止められ、排水溝２１１Ａへと流れ込む。排水溝２１１Ａへと流れ込んだ水は、下枠２１１に形成された孔２１１Ｂ，２１１Ｃを介して浴室へ戻される。また、浴室内に水が溢れた場合には、その溢れ水が孔２１１Ｂ，２１１Ｃから排水溝２１１Ａ側へと逆流することになるが、この逆流した溢れ水は、下枠２１１に取り付けられたシール材２３０によって堰き止められて排水溝２１１Ａ内に留まり、最終的には、前記孔から浴室へと戻される。従って、建具２００によれば、バリアフリー化と、浴室から脱衣室側への漏水防止とを図ることができる。
【特許文献１】特開２００２−３２２８８４号公報
【発明の開示】
【発明が解決しようとする課題】
【０００６】
しかしながら、浴室から脱衣室側への漏水を防止するために、下枠２１１の長手方向に沿って排水溝２１１Ａが形成され、また、下枠２１１に障子２２０側へと突出するシール材２３０が取り付けられているため、足の指や車いすの車輪等が、排水溝２１１Ａに挟まったり、突出したシール材２３０に引っかかる可能性がある。このため、より一層バリアフリー化に対応できる建具が求められている。
【０００７】
本発明の目的は、浴室から脱衣室側への漏水を防止できるとともに、より一層のバリアフリー化を図ることができる建具を提供することにある。
【課題を解決するための手段】
【０００８】
本発明は、浴室と脱衣室との間の出入口に取り付けられ、上枠、下枠、および左右の縦枠を枠組みして構成された枠体と、この枠体に対して開閉自在に取り付けられた障子とを備える建具であって、前記下枠は、前記浴室の床面と略同じ高さレベルを有する上面部と、この上面部における前記脱衣室側から上方へと立ち上がる立上部とを備え、前記左右の縦枠の間には、前記上面部を覆い、前記上面部との間に中空空間を形成するアタッチメントが取り付けられ、前記障子は、その前記浴室側および前記脱衣室側において前記アタッチメントに当接するシール片がそれぞれ取り付けられ、前記アタッチメントには、前記シール片の間における前記障子との間の隙間部分と前記中空空間とを連通する第１連通部と、前記中空空間と前記浴室とを連通する第２連通部とが形成され、前記立上部と前記アタッチメントとは、直接的または間接的に当接していることを特徴とする。
【０００９】
本発明によれば、浴室から水が流れてきた際に、この流れてきた水は、障子に取り付けられた浴室側のシール片により浴室へと戻される。また、より強い流れがきた場合には、この水は、浴室側のシール片を越えて脱衣室側のシール片まで流れてくるが、この場合には、脱衣室側のシール片で堰き止められた後、シール片の間におけるアタッチメントに形成された第１連通部を介して中空空間へと導かれる。その後、中空空間へ導かれた水は、下枠の上面部を通って、アタッチメントに形成された第２連通部から浴室側へと排出される。従って、アタッチメントの上側から脱衣室側へ漏水するのを確実に防止できる。
また、例えば、浴室から多量に水が流れてきた場合には、この流れてきた水が、第２連通部を介してアタッチメント内の中空空間へと逆流することがある。しかしながら、アタッチメントと、下枠の立上部とを直接的または間接的に当接させているため、アタッチメントと下枠との隙間から脱衣室側へ漏水することはない。このため、中空空間が一時的に貯水空間として機能し、中空空間内に溜まった水は、最終的には、第２連通部から浴室側へと排出される。このため、アタッチメント内の中空空間へと逆流する水にも十分に対応でき、脱衣室への漏水を確実に防止できる。
従って、本建具によれば、浴室と脱衣室との間の止水性能を十分に確保できる。
【００１０】
また、下枠の立上部とアタッチメントとを当接させることにより、浴室と脱衣室との間の出入口部分に従来のような排水溝を形成しない構成としたので、高齢者等の歩行者が足を引っかけたり、車いすの走行を阻害したりするおそれがなく、より一層のバリアフリー化を図ることができる。
【００１１】
ここで、前記立上部と前記アタッチメントとの間にシール材が介装されて、このシール材を介して前記立上部と前記アタッチメントとが当接している構成としてもよい。このような構成によれば、立上部とアタッチメントとの隙間が確実に塞がれるため、溢れ水が脱衣室側へと漏れるのを確実に防止できる。
【００１２】
以上の建具において、前記縦枠には、閉じた状態の障子に当接する縦シール材が取り付けられ、前記第１連通部は、前記縦シール材と前記障子との当接部分よりも前記浴室側に形成されていてもよい。このような構成によれば、障子と縦シール材との当接部分よりも浴室側に第１連通部を形成したので、第２連通部からアタッチメント内へと入った溢れ水が第１連通部から溢れたとしても、この溢れた水が縦シール材により跳ね返されて浴室へと戻されるため、脱衣室側へ漏水することを防止できる。
【００１３】
以上の建具において、前記第２連通部は、前記アタッチメントの略浴室側端における前記左右の縦枠近傍にそれぞれ形成されていてもよい。このような構成によれば、アタッチメントの中空空間から第２連通部を通って浴室側へ水が流れたとしても、水が、左右の縦枠近傍、すなわち建具の端部側を流れるため、アタッチメントの中央部分に第２連通部を形成した場合に比べて、水が流れた時の見た目が向上する。
【００１４】
以上の建具において、前記上面部は、前記浴室へ向かって低くなる傾斜面を有していてもよい。このような構成によれば、上面部に傾斜面を形成することにより、中空空間内に溜まった水を浴室側へと確実に流すことができる。
【００１５】
以上の建具において、前記上面部には、当該上面部の表面に溜まった水の表面張力を破壊する溝部が形成されていてもよい。このような構成によれば、上面部の表面に溝部を形成することにより、中空空間内に溜まった水の表面張力を破壊して、上面部の表面に水が溜まることを防止でき、中空空間内を清潔に保つことができる。
【００１６】
以上の建具において、前記アタッチメントは、前記下枠に対して着脱自在に取り付けられていてもよい。このような構成によれば、アタッチメントを取り外すことにより、アタッチメントの下側や内側を簡単に清掃することができ、衛生的である。
【発明の効果】
【００１７】
本発明の建具によれば、浴室から脱衣室側への漏水を防止できるとともに、より一層のバリアフリー化を図ることができるという効果がある。
【発明を実施するための最良の形態】
【００１８】
［第１実施形態］
以下、本発明の第１実施形態に係る建具について図面を参照して説明する。
図１は、本実施形態に係る建具１を示す正面図である。図２は、建具１を示す縦断面図である。図３は、障子を閉じた状態の建具１を示す横断面図である。図４は、障子を開いた状態の建具１を示す横断面図である。図１〜図４に示すように、建具１は、枠体１０と、枠体１０内に開閉自在に取り付けられる例えば片開き式の障子２０とを備えている。枠体１０は、上枠１１と、下枠１２と、左右の縦枠１３とを四周枠組みして形成されている。枠１１〜１３は、それぞれアルミ押し出し形材により構成されている。
【００１９】
障子２０は、上框２１、下框２２、および左右の縦框２３を四周枠組みして形成される框体２４と、框体２４の内側に組み込まれるガラス等の面材２５とを備えている。框２１〜２３は、それぞれアルミ押し出し形材により構成されている。縦框２３には、上枠１１および下枠１２に取り付けられたピボット７１（図３）に軸支される凹部（図示略）が形成されている。前記凹部とピボット７１との係合により、枠体１０に対して障子２０が回動可能である。従って、図３，図４に示すように、障子２０に取り付けられた取っ手２６を操作して、障子２０と枠体１０との係合を着脱することにより、障子２０の開閉が可能である。
【００２０】
図２に示すように、本実施形態の建具１は、浴室と脱衣室との間の出入口部に取り付けられる。浴室の床面２および脱衣室の床面３と下枠１２の最上面１２Ａとの段差は、例えば１０〜１５ｍｍ以下、好ましくは３〜５ｍｍ程度となっている。従って、バリアフリーの公的な設計指針（段差２０ｍｍ以下）を十分に満たしている。
【００２１】
次に、建具１の下枠部分の構成について説明する。
図５は、図２の要部である下枠部分を拡大して示す縦断面図である。図６は、前記下枠部分を部分的に示す斜視図である。図５，図６に示すように、下枠１２は、中空状の下枠本体１８を有する押出成形品であり、下枠本体１８の上側の上面部１４と、上面部１４における脱衣室側から上方へと立ち上がる立上部１５と、立上部１５から脱衣室側へ延出し、脱衣室の床面３にビス止めされる板状の取付部１６とを備えている。なお、下枠１２と浴室の床面２部分との隙間には、シーリング材１７が充填されている。
【００２２】
上面部１４には、浴室側に向かって低くなるような傾斜面が形成されている。また、上面部１４の表面には、下枠１２の長手方向に沿って連続する溝（図示略）が形成されている。この溝は、上面部１４上にある水の表面張力を破壊して、当該溝に沿って水を導く。このため、上面部１４上に水が溜まらず、上面部１４を乾燥した状態に保つことができ衛生的である。また、立上部１５の上端には、ポケット部１５Ａが形成されている。ポケット部１５Ａには、取付部１６の上面１６Ａと略面一となるようなシール材３０が取り付けられている。
【００２３】
図５に示すように、障子２０を構成する下框２２の下面には、シール部材３２が着脱自在に取り付けられている。シール部材３２は、下框２２の下面に取り付けられるシール部材本体３３と、シール部材本体３３の両端部にそれぞれ取り付けられるシール片３４とを備えている。各シール片３４は、可撓性を有する例えば樹脂製又はゴム製の部材であり、障子２０の浴室側面と脱衣室側面とにそれぞれ略面一となるように設けられている。浴室側のシール片３４は、その先端が後述するアタッチメント本体５１の水平部５３に当接している。また、脱衣室側のシール片３４は、ポケット部１５Ａのシール材３０に当接している。
【００２４】
また、建具１は、下枠１２の上面部１４にビス止めされる取付部材４０と、取付部材４０に嵌合し、下枠１２をその全長に亘って覆うように着脱自在に取り付けられるアタッチメント５０とを備えている。取付部材４０は、例えば、上面部１４における、アタッチメント５０の長手方向両端部近傍となる位置に取り付けられている。アタッチメント５０は、例えば金属製のアタッチメント本体５１と、下枠１２の立上部１５に係合する例えば樹脂製の係合部材５２と、シール材３０とを備えている。なお、アタッチメント本体５１の材質は金属製に限定されず、また、係合部材５２の材質は樹脂製に限定されない。
【００２５】
図５，図６に示すように、アタッチメント本体５１と下枠１２との間、すなわち、アタッチメント本体５１の内部には、中空空間Ａが設けられている。アタッチメント本体５１は、障子２０が閉じた状態でその下框２２に下方から対向する水平部５３と、水平部５３から浴室側へ延び、浴室側に向かって低くなる傾斜面が形成された傾斜部５４と、浴室の床面２に当接する当接部５５とにより構成されている。なお、当接部５５は、浴室の床面２ではなく、下枠１２から延出させた部分に当接させるようにしてもよい。
【００２６】
図５に示すように、水平部５３の裏面には、取付片５３Ａが形成されている。また、水平部５３の脱衣室側端部５３Ｂには、立上部１５のポケット部１５Ａに取り付けられたシール材３０が密接しており、水平部５３と立上部１５との間には隙間が形成されない。このシール材３０は、その上面が、水平部５３の上面および取付部１６の上面１６Ａと略同じ高さレベルとなるように設けられている。
【００２７】
また、水平部５３は、障子２０と水平部５３との間の隙間に溜まった水が、水平部５３の長手方向両端部側（後述する切欠き６３Ａ，７０Ａ）へ導かれるようになっている。例えば、水平部５３の表面に、上面に溜まった水の表面張力を破壊して、この水を長手方向両端部側へと導く溝部を形成すること等により実現できる。
【００２８】
また、傾斜部５４の裏面には、取付部材４０に係止される係合爪５４Ａが形成されている。なお、図示を省略するが、当接部５５と浴室の床面２との間にはシール材が設けられ、このシール材により当接部５５と床面２との隙間からのアタッチメント５０内への浸水が防止されている。
【００２９】
係合部材５２は、水平部５３の裏面に形成された取付片５３Ａに着脱自在に取り付けられている。また、係合部材５２の脱衣室側端部５２Ａが、立上部１５の根元部分と係合している。
【００３０】
従って、アタッチメント本体５１は、係合部材５２の脱衣室側端部５２Ａと立上部１５とが係合するとともに、傾斜部５４の係合爪５４Ａと上面部１４にビス止めされた取付部材４０とが係合することにより、下枠１２を覆うようにして下枠１２に対して着脱自在に取り付けられている。
【００３１】
また、図６に示すように、アタッチメント５０は、アタッチメント本体５１の縦枠１３側（図６中の左右側）の端部にそれぞれ取り付けられるキャップ６０と、障子２０を回動させるピボット７１が取り付けられるピボット部７０とを備えている。キャップ６０は、図６中の左側に取り付けられる左キャップ６０Ｌと、右キャップ６０Ｒとにより構成されている。各キャップ６０（６０Ｌ，６０Ｒ）は、アタッチメント本体５１と略同じ断面形状で形成され、水平部６３（６３Ｌ，６３Ｒ）と、傾斜部６４（６４Ｌ，６４Ｒ）と、当接部６５（６５Ｌ，６５Ｒ）とにより構成されている。
【００３２】
各キャップ６０の当接部６５の浴室側面には、本発明の第２連通部としての孔６５Ａが形成されている。孔６５Ａは、中空空間Ａと浴室の床面２側の空間とを連通しており、浴室側から中空空間Ａへの水の浸入が起こり難いような小さな寸法に形成されている。左キャップ６０Ｌの水平部６３Ｌには、本発明の第１連通部としての切欠き６３Ａが形成されている。切欠き６３Ａは、水平部６３Ｌの上方空間、すなわち、障子２０に取り付けられた２つのシール片３４の間における、障子２０の下面と水平部６３との隙間部分と、アタッチメント本体５１の下側の空間である中空空間Ａとを連通する孔として機能する。また、右キャップ６０Ｒの水平部６３Ｒにも、切欠き６３Ｂが形成されている。下枠１２における、切欠き６３Ｂに対応する部分には、ピボット部７０が設けられている。ピボット部７０には、本発明の第１連通部としての切欠き７０Ａが形成されている。切欠き７０Ａは、前記切欠き６３Ａと同様に、ピボット部７０の上方空間、すなわち、障子２０に取り付けられた２つのシール片３４の間における、障子２０の下面とピボット部７０の表面７２との隙間部分と、アタッチメント本体５１の下側の空間である中空空間Ａとを連通する孔として機能する。
【００３３】
また、図６に示すように、枠体１０を構成する左右の縦枠１３には、互いに近接する方向に突出する突出部１３０が形成され、この突出部１３０には長手方向に沿ってポケット部１３０Ａがそれぞれ形成されている。各ポケット部１３０Ａには、ポケット部１３０Ａの長手方向に沿って延びるとともに、障子２０の左右側の端部に当接する縦シール材８０が取り付けられている。この縦シール材８０により、前記障子と縦枠１３との間から脱衣室側へ漏水することを防止している。また、縦シール材８０には、前記シール材３０の端部が当接している。さらに、切欠き６３Ａ，７０Ａは、縦シール材８０と障子２０との当接部分よりも浴室側に形成されている。このため、仮に、切欠き６３Ａ，７０Ａから水が溢れたとしても、切欠き６３Ａ，７０Ａが、縦シール材８０と障子２０との当接部分よりも浴室側にあるため、この溢れ水が脱衣室側へ漏れるのを防止できる。
【００３４】
次に、建具１の排水機能について説明する。
浴槽の水が溢れた場合等には、通常は、浴室側から流れてきた水が、アタッチメント本体５１の当接部５５に跳ね返され浴室側へ戻される。また、浴室側から多量の水が強く流れてきた場合には、この流れてきた水は、傾斜部５４を上って水平部５３側へと流れるものの、下框２２に取り付けられた浴室側のシール片３４に跳ね返され、傾斜部５４を下って浴室へと戻される。さらに、水流が強い場合には、水は、浴室側のシール片３４を越えて脱衣室側へと流れるが、下框２２に取り付けられた脱衣室側のシール片３４で流れが堰き止められた後、左右の縦枠１３側、すなわちアタッチメント５０の長手方向両端部側へと導かれて、キャップ６０の端部に形成された切欠き６３Ａ，７０Ａから中空空間Ａへと流れる。中空空間Ａへ流れた水は、下枠１２を構成する上面部１４の表面の前記溝によって表面張力が壊されるとともに、上面部１４の傾斜面に従って浴室側へと流れることにより、最終的には、キャップ６０の孔６５Ａから浴室の床面２へと戻される。
【００３５】
また、浴室でシャワー等を利用した場合には、シャワーの散水が障子２０の浴室側面に掛かることになるが、浴槽の水が溢れた場合と同様に、水は、下框２２に取り付けられた浴室側のシール片３４によって浴室側へ戻されたり、また、切欠き６３Ａ，７０Ａから中空空間Ａへと流れた後に、キャップ６０の孔６５Ａから浴室の床面２へ戻される。
【００３６】
一方、浴槽から溢れた水が、キャップ６０に形成された孔６５Ａを介して、浴室からアタッチメント本体５１下側の中空空間Ａへ逆流することもある。ところで、アタッチメント５０と下枠１２との隙間がシール材３０によって密封されているため、前記隙間から脱衣室側へと漏水することはない。このため、略密閉した空間である中空空間Ａが貯水空間として機能し、孔６５Ａから中空空間Ａへ逆流してきた水は、中空空間Ａ内に溜まることになる。そして、逆流水の水圧が収まった後に、中空空間Ａ内に溜まった水は、孔６５Ａから浴室へと排出される。なお、中空空間Ａに溜まった水が、切欠き６３Ａ，７０Ａから溢れることもありうるが、前述したように、切欠き６３Ａ，７０Ａを縦シール材８０よりも浴室側に形成したので、この溢れた水が脱衣室側へと漏れる心配はない。
【００３７】
本実施形態によれば、以下のような効果がある。
アタッチメント５０と下枠１２との隙間をシール材３０によって密封する構成としたので、キャップ６０の孔６５Ａから逆流してくる水が、前記隙間から脱衣室側へと漏水するのを確実に防止できる。また、下框２２の表裏面側に２つのシール片３４を取り付けるとともに、キャップ６０の水平部６３には、浴室側から流れてきた水を中空空間Ａへと導く切欠き６３Ａ，７０Ａを形成し、キャップ６０の孔６５Ａから排水する構成としたので、浴室側からアタッチメント本体５１の水平部５３へと流れてきた水を脱衣室側へと漏水させることなく、浴室側へと確実に戻すことができる。従って、建具１によれば、十分な止水性能を確保できる。特に、水平部５３を、障子２０と水平部５３との間の隙間に溜まった水が切欠き６３Ａ，７０Ａへ導かれるようにしたので、前記隙間に水が溜まるのを防止できる。
【００３８】
また、下枠１２の上面部１４には、傾斜面を形成したので、中空空間Ａ内に溜まった水を浴室側へと誘導できる。また、上面部１４には、水の表面張力を破壊する溝を形成したので、中空空間Ａ内に溜まった水を縦枠１３側へと誘導できる。従って、中空空間Ａ内に溜まった水を、キャップ６０に形成された孔６５Ａへと誘導できるため、中空空間Ａ内を乾燥状態に保って、衛生的にすることができる。
【００３９】
また、水平部５３と取付部１６との間にシール材３０を取り付けて、従来のような排水溝のない平坦な床面を構成するとともに、シール材３０の上面と、水平部５３の上面および取付部１６の上面１６Ａとが、略同一の高さレベルとなるように構成したので、高齢者等が足を引っかけたり、車いすの走行を阻害したりするおそれがなく、より一層のバリアフリー化を図ることができる。特に、切欠き６３Ａ，７０Ａを縦枠１３の近傍に形成したので、切欠き６３Ａ，７０Ａが高齢者等の出入りに影響を与えることもない。
【００４０】
また、アタッチメント５０は、浴室の床面２から着脱自在に構成したので、アタッチメント５０を適宜取り外すことにより、アタッチメント５０と下枠１２との間を簡単に清掃することができる。
【００４１】
［第２実施形態］
次に、本発明の第２実施形態について説明する。なお、前記第１実施形態と同様または相当する構成部品には、同じ符号を付してその説明を省略または簡略化する。図７は、第２実施形態に係る建具１００の要部である下枠部分を拡大して示す縦断面図である。図７に示すように、本実施形態の建具１００は、第１実施形態の建具１とは、アタッチメント本体５１とシール材との接合部分の構成が主に相違している。このため、前記相違点を中心に説明する。
【００４２】
図７に示すように、建具１００では、アタッチメント本体５１の水平部５３の脱衣室側端部５３Ｂが、下枠１２の立上部１５の上方側まで延びるように形成されている。また、立上部１５のポケット部１５Ａには、シール材３３０が取り付けられている。このシール材３３０は、その中間部分３３０Ａが水平部５３の脱衣室側端部５３Ｂに当接し、さらに、その先端部分３３０Ｂが上方へと突出して、障子２０に取り付けられた脱衣室側のシール片３４に当接している。なお、先端部分３３０Ｂの突出寸法は、例えば、３〜５ｍｍ程度と小さくなるように形成され、歩行者等の出入りの妨げにはならない。このような第２実施形態によれば、前記第１実施形態と同様の効果を奏することができる。
【００４３】
なお、本発明は、前記各実施形態には限定されない。前記各実施形態では、片開き式の障子２０に本発明を適用したが、例えば、引き戸形式のものや、折れ戸形式のもの等に適用してもよい。前記各実施形態では、キャップ６０の水平部６３に切欠き６３Ａを形成し、また、ピボット部７０の切欠き７０Ａを形成し、これの切欠き６３Ａ，７０Ａを第１連通部としたが、例えば、切欠きの代わりに孔を形成してもよく、第１連通部の形態は特に限定されない。また、第２連通部となる孔６５Ａをキャップ６０に形成したが、例えば、アタッチメント本体５１の当接部５５に形成してもよい。
【００４４】
また、前記各実施形態では、アタッチメント本体５１と下枠１２の立上部１５とを、シール材３０を介して密封したが、シール材３０を介することなく、直接当接させてもよい。
また、前記各実施形態では、下枠１２側にシール材３０を取り付けたが、アタッチメント本体５１側にシール材３０を取り付けてもよいし、下枠１２側およびアタッチメント本体５１側の両側にシール材３０を取り付けてもよい。
【００４５】
また、前記各実施形態では、第１連通部としての切欠き６３Ａ，７０Ａを長手方向両端部側に形成したが、その形成位置は特に限定されない。また、第２連通部としての孔６５Ａをキャップ６０に形成したが、アタッチメント本体５１に形成してもよい。この際、孔６５Ａを切欠きとしてもよく、特に限定されない。
【図面の簡単な説明】
【００４６】
【図１】本発明の第１実施形態に係る建具を示す正面図である。
【図２】前記建具を示す縦断面図である。
【図３】障子を閉じた状態の前記建具を示す横断面図である。
【図４】障子を開いた状態の前記建具を示す横断面図である。
【図５】図２の要部である下枠部分を拡大して示す縦断面図である。
【図６】前記下枠部分を部分的に示す斜視図である。
【図７】本発明の第２実施形態に係る建具の要部である下枠部分を拡大して示す縦断面図である。
【図８】従来のバリアフリータイプの建具を示す縦断面図である。
【符号の説明】
【００４７】
１，１００      建具
１０      枠体
１１      上枠
１２      下枠
１３      縦枠
１４      上面部
１５      立上部
２０      障子
３０，３３０    シール材
３４      シール片
５０      アタッチメント
６３Ａ    切欠き（第１連通部）
６５Ａ    孔（第２連通部）
７０Ａ    切欠き（第１連通部）
８０      縦シール材
Ａ      中空空間
【図１】
2006037603.tif 000003
【図２】
2006037603.tif 000004
【図３】
2006037603.tif 000005
【図４】
2006037603.tif 000006
【図５】
2006037603.tif 000007
【図６】
2006037603.tif 000008
【図７】
2006037603.tif 000009
【図８】
2006037603.tif 000010